(57)【要約】【課題】画像走査によって生成された電子ドキュメント・データのワークフロー制御システムおよび方法を提供する。【解決手段】先ず、電子ドキュメント・データを画像走査装置から受け取る。次に、受け取った電子ドキュメント・データに実行される１または複数のドキュメント処理動作に対応するドキュメント処理命令データを受け取る。次に、ドキュメント処理命令データは、メタデータとして電子ドキュメントに付け加えられる。次いで、メタデータが付加されたドキュメント・データは、少なくとも１つのドキュメント処理装置に送られる。メタデータが付加されたドキュメント・データを受け取ると、少なくとも１つのドキュメント処理装置は、付加されたメタデータにしたがって電子ドキュメント・データに１または複数のドキュメント処理動作を開始する。【選択図】図７
2008259211.tif 000002
【特許請求の範囲】
【請求項１】
電子ドキュメント・データを画像走査装置から受け取る手段と、
この手段によって受け取った前記電子ドキュメント・データについて実行する１または複数のドキュメント処理動作に関連付けられたドキュメント処理命令データを受け取る手段と、
前記ドキュメント処理命令データに対応するメタデータを前記電子ドキュメント・データに付加する手段と、
前記電子ドキュメント・データおよび前記付加手段によって付加された前記メタデータを少なくとも１つのドキュメント処理装置に送る手段と、
付加された前記メタデータにしたがって前記電子ドキュメント・データについて１または複数のドキュメント処理動作を開始する手段と
を有することを特徴とする画像走査によって生成された電子ドキュメント・データのワークフロー制御システム。
【請求項２】
前記ドキュメント処理動作は、光学文字認識動作、またはページ向き決め動作、またはページ順入れ替え動作、またはディジタル証明動作、または保存動作、または伝送動作、または情報抽出動作から選択されることを特徴とする請求項１に記載の画像走査によって生成された電子ドキュメント・データのワークフロー制御システム。
【請求項３】
前記情報抽出動作によって抽出される情報は、送り状番号、または送信者情報、または宛先情報、またはコンテンツ情報を含むことを特徴とする請求項２に記載の画像走査によって生成された電子ドキュメント・データのワークフロー制御システム。
【請求項４】
前記メタデータによって指定された前記ドキュメント処理動作の完了または前記ドキュメント処理動作における処理エラーを表す通知情報を生成する手段を、さらに、有することを特徴とする請求項１に記載の画像走査によって生成された電子ドキュメント・データのワークフロー制御システム。
【請求項５】
前記通知情報を生成する手段によって生成された通知情報をユーザに伝達する手段を、さらに、有することを特徴とする請求項４に記載の画像走査によって生成された電子ドキュメント・データのワークフロー制御システム。
【請求項６】
前記通知情報は、電子メール・メッセージによって伝達されることを特徴とする請求項５に記載の画像走査によって生成された電子ドキュメント・データのワークフロー制御システム。
【請求項７】
前記ドキュメント処理装置のうち少なくとも１つのドキュメント処理装置は、多機能周辺装置であることを特徴とする請求項１に記載の画像走査によって生成された電子ドキュメント・データのワークフロー制御システム。
【請求項８】
電子ドキュメント・データを画像走査装置から受け取るステップと、
受け取った前記電子ドキュメント・データについて実行する１または複数のドキュメント処理動作に関連付けられたドキュメント処理命令データを受け取るステップと、
前記ドキュメント処理命令データに対応するメタデータを前記電子ドキュメント・データに付加するステップと、
前記電子ドキュメント・データおよび前記付加された前記メタデータを少なくとも１つのドキュメント処理装置に送るステップと、
付加された前記メタデータにしたがって前記電子ドキュメント・データについて１または複数のドキュメント処理動作を開始するステップと
を含むことを特徴とする画像走査によって生成された電子ドキュメント・データのワークフロー制御方法。
【請求項９】
前記ドキュメント処理動作は、光学文字認識動作、またはページ向き決め動作、またはページ順入れ替え動作、またはディジタル証明動作、または保存動作、または伝送動作、または情報抽出動作から選択されることを特徴とする請求項８に記載の画像走査によって生成された電子ドキュメント・データのワークフロー制御方法。
【請求項１０】
前記情報抽出動作によって抽出される情報は、送り状番号、または送信者情報、または宛先情報、またはコンテンツ情報を含むことを特徴とする請求項９に記載の画像走査によって生成された電子ドキュメント・データのワークフロー制御方法。
【請求項１１】
前記メタデータによって指定された前記ドキュメント処理動作の完了または前記ドキュメント処理動作における処理エラーを表す通知情報を生成するステップを、さらに、含むことを特徴とする請求項８に記載の画像走査によって生成された電子ドキュメント・データのワークフロー制御方法。
【請求項１２】
前記生成された通知情報をユーザに伝達するステップを、さらに、含むことを特徴とする請求項１１に記載の画像走査によって生成された電子ドキュメント・データのワークフロー制御方法。
【請求項１３】
前記通知情報は、電子メール・メッセージによって伝達されることを特徴とする請求項１２に記載の画像走査によって生成された電子ドキュメント・データのワークフロー制御方法。
【請求項１４】
前記ドキュメント処理装置のうち少なくとも１つのドキュメント処理装置は、多機能周辺装置であることを特徴とする請求項８に記載の画像走査によって生成された電子ドキュメント・データのワークフロー制御方法。
【発明の詳細な説明】
【技術分野】
【０００１】
本発明は、画像走査によって生成された電子ドキュメント・データのワークフロー制御システムおよび方法に関し、特に、要求されたドキュメント処理動作を示すメタデータを電子ドキュメントに付加するワークフロー制御システムおよび方法に関する。
【背景技術】
【０００２】
有形ドキュメントはしばしば画像走査され、電子ドキュメント形式に変換される。有形ドキュメントを電子ドキュメント形式に変換することによって多くの他のドキュメント処理操作が容易になる。そのような処理操作には、アーカイビング、光学文字認識、再伝送、コピー、変更、フォーマッティング、統合、または電子ドキュメントに対して容易に実行される他の操作がある。
【０００３】
電子ドキュメントに多数のオプションがある場合に、いくつかの複数の操作を実行したいことがある。例えば、仕事で有形の手紙を受け取ることがある。手紙を画像走査した後に、電子ドキュメントとして電子メールの添付ファイル等によって１人または複数の受信者に送ることができる。オリジナルの手紙は、必要に応じて破棄することができ、保管のためには電子コピーに頼り、このようにして大量のハードコピー・ドキュメントを保存する必要がなくなる。
【０００４】
画像走査ドキュメント入力の多様性はしばしば、１つのドキュメントについて複数の操作を行うときに役立つ。しかし、このことによって一般的に、ユーザは、電子ドキュメントを分離し、次にその電子ドキュメントにそれぞれの一連の操作を実行する作業をする必要がある問題点があった。
【０００５】
したがって、画像走査によって生成された電子ドキュメントについて複数のドキュメント処理動作を、煩雑な作業を必要としないシステムおよび方法が望まれている。
【発明の開示】
【発明が解決しようとする課題】
【０００６】
本発明は、上記の従来の問題点に鑑みてなされたもので、画像走査によって生成された電子ドキュメント・データのワークフロー制御システムおよび方法を提供することを目的とする。
【課題を解決するための手段】
【０００７】
本発明による画像走査によって生成された電子ドキュメント・データのワークフロー制御システムは、電子ドキュメント・データを画像走査装置から受け取る手段と、受け取った電子ドキュメント・データについて実行する１または複数のドキュメント処理動作に関連付けられたドキュメント処理命令データを受け取る手段とを有する。本システムは、また、ドキュメント処理命令データに対応するメタデータを電子ドキュメント・データに付加する手段を有する。本システムは、さらに、電子ドキュメント・データおよび付加されたメタデータを少なくとも１つのドキュメント処理装置に送る手段と、電子ドキュメント・データに付加されたメタデータにしたがって電子ドキュメント・データについて１または複数のドキュメント処理動作を開始する手段とを有する。
【０００８】
本発明の一実施形態において、ドキュメント処理動作は、光学文字認識動作、またはページ向き決め動作、またはページ順入れ替え動作（page alignment）、またはディジタル証明動作、または保存動作、または伝送動作、または情報抽出動作から選択される。情報抽出動作によって抽出される情報は、送り状番号、または送信者情報、または宛先情報、またはコンテンツ情報を含む。
【０００９】
本発明の別の実施形態において、本システムは、メタデータによって指定されたドキュメント処理動作の完了または前記ドキュメント処理動作における処理エラーを表す通知情報を生成する手段を、さらに、有する。本システムは、また、生成された通知情報をユーザに伝達する手段を有する。通知情報は、電子メール・メッセージによって伝達される。
【００１０】
本発明によるさらに別の実施形態においては、ドキュメント処理装置のうち少なくとも１つのドキュメント処理装置は、多機能周辺装置である。
【００１１】
本発明による画像走査によって生成された電子ドキュメント・データのワークフロー制御方法は、電子ドキュメント・データを画像走査装置から受け取るステップと、受け取った電子ドキュメント・データについて実行する１または複数のドキュメント処理動作に関連付けられたドキュメント処理命令データを受け取るステップと、ドキュメント処理命令データに対応するメタデータを電子ドキュメント・データに付加するステップと、電子ドキュメント・データおよび付加されたメタデータを少なくとも１つのドキュメント処理装置に送るステップと、付加されたメタデータにしたがって電子ドキュメント・データについて１または複数のドキュメント処理動作を開始するステップとを含む。
【発明の効果】
【００１２】
本発明によれば、画像走査によって生成された電子ドキュメント・データのワークフロー制御システムおよび方法が提供される。
【発明を実施するための最良の形態】
【００１３】
以下、適宜、図面を参照しながら本発明による実施形態の説明を行う。図１に本発明による実施形態が適用される画像走査によって生成された電子ドキュメント・データのワークフロー制御システム全体の構成例を示す。図に示したシステム１００は、コンピュータ・ネットワーク１０２として表した分散コンピューティング環境を利用して具体化することができる。コンピュータ・ネットワーク１０２は、複数の電子装置間におけるデータの交換を可能とする本技術分野で知られている任意の分散形通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。図にはコンピュータ・ネットワーク１０２を示したが、本発明は、本技術分野で知られているスタンドアローンのシステムにおいても、同様に実施できる。
【００１４】
システム１００は、さらに、様々なドキュメント処理を実行するために適切な多機能周辺装置（Multi-Function Peripheral；以下、ＭＦＰということがある。）として図に表されている、少なくとも１つのドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理、ドキュメント保存等が含まれる。本発明による一形態においては、ドキュメント処理装置１０４は、リモート・ドキュメント処理サービスを外部装置あるいはネットワーク装置に対して提供する。ドキュメント処理装置１０４は、ユーザやネットワークに接続された装置等とやり取りするように構成された、ハードウェア、ソフトウェアおよびこれらの任意の適切な組み合わせを含んでいる。ドキュメント処理装置１０４の構成等については、図２と図を参照しながら後で説明を行う。
【００１５】
また、本発明による一実施形態において、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。本発明の実施形態においては、ドキュメント処理装置１０４は、さらに、タッチ・スクリーン、ＬＣＤ、タッチ・パネル、英数字キーパッド等のユーザ・インターフェイス１０６を備え、ユーザは、このようなユーザ・インターフェイスを介してドキュメント処理装置１０４と直接やり取りすることができる。ユーザ・インターフェイス１０６は、ユーザに対して情報を伝達するとともに、ユーザから選択内容を受け取るために用いられる。ユーザ・インターフェイス１０６は、本技術分野で知られているように、ユーザにデータを提示するように適応された様々なコンポーネントを含む。本発明の一実施形態において、ユーザ・インターフェイス１０６は、後に説明するように、１つまたは複数のグラフィック要素、テキスト・データ、画像等をユーザに表示し、ユーザから入力を受け取り、受け取った入力をコントローラ１０８等のバックエンド・コンポーネントに送る表示装置を備える。ドキュメント処理装置１０４は、適切な通信リンク１１２を介して、コンピュータ・ネットワーク１０２に通信可能に接続されている。適切な通信リンク１１２には、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または、本技術分野において知られている他の適切な有線または無線のデータ通信チャネルがある。
【００１６】
本発明による実施形態において、ドキュメント処理装置１０４は、さらに、図においてコントローラ１０８として示され、ドキュメント処理装置１０４による処理動作を容易にする適切なバックエンド・コンポーネントを内蔵している。コントローラ１０８は、例えば、ドキュメント処理装置１０４の動作の制御、あるいはユーザ・インターフェイス１０６による画像の表示、または、電子画像データの操作の指示等の処理を容易にするように構成されたハードウェア、ソフトウェアあるいはこれらの適切な組み合わせによって実装される。以下の説明においては、コントローラ１０８という用語は、後述する動作を実行する、もしくは実行させる、もしくは制御する、または指示するように機能するハードウェア、ソフトウェア、またはこれらの組み合わせを含むドキュメント処理装置１０４と関連する任意の多数のコンポーネントの意味で、使用する。なお、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う動作は、本技術分野において知られている任意の汎用コンピューティング・システムによって実行可能である。したがって、コントローラ１０８は、そのような汎用コンピューティング装置を表しており、以下の説明において使用する際にも、そのように意図されている。また、以下の説明においてはコントローラ１０８を使用しているが、これは実施形態の例にすぎず、その他の実施形態においても、本発明による画像走査によって生成された電子ドキュメント・データのワークフロー制御システムおよび方法を利用することができる。コントローラ１０８の構成等については、後ほど図４と図５を参照しながら説明を行う。
【００１７】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態においては、データ記憶装置１１０は、ドキュメント・データ、画像データ、電子データベースのデータ等を保存するように適切に適合されている。データ記憶装置１１０は、図においてはシステム１００の独立したコンポーネントとして例示されているが、例えば、内蔵ハードディスク・ドライブ等のような、ドキュメント処理装置１０４の内部記憶装置、あるいはコントローラ１０８のコンポーネント等として実装することができる。本発明の一実施形態によれば、データ記憶装置１１０は、ユーザ・アカウント情報、電子ドキュメント、画像、テキスト、マルチメディア・ファイル、アドレス等を表すデータを含む。
【００１８】
システム１００は、さらに、通信リンク１１８を介したコンピュータ・ネットワーク１０２による複数の装置とのドキュメントのアクセス、記憶および管理を容易にする役割を果たすドキュメント管理システム・サーバ１１４を含む。通信リンク１１８は、コンピュータ・ネットワーク１０２を介して、情報をセキュリティ面で安全に送受信することができる。適切な通信リンク１１８には、例えば、IEEE802.11a、IEEE802.11b、IEEE802.11g、IEEE802.11(x)、Bluetooth（登録商標）、WiMax、赤外線接続、光接続、専用通信ネットワーク、公衆交換電話網、または、本技術分野において知られている他の適切な有線または無線のデータ通信チャネルがある。
【００１９】
ドキュメント管理システム・サーバ１１４は、例えば、ドキュメント転送要求、ドキュメント出力要求、ドキュメント記憶要求、電子メール通信等を含む、コンピュータ・ネットワーク１０２を介して受け取った様々な要求を受け取り、処理する。ドキュメント管理システム・サーバ１１４は、コンピュータ・ネットワーク１０２を介して、例えば、コンピュータ・ワークステーション、スマートフォン、携帯情報端末、ドキュメント処理装置、ファクシミリ装置、プリンタ等の複数の装置に、ドキュメント・データを送ることができる。ドキュメント管理システム・サーバ１１４の構成は、後ほど図６を参照しながら説明を行う。
【００２０】
また、ドキュメント管理システム・サーバ１１４にはデータ記憶装置１１６が通信可能に接続されている。データ記憶装置１１６は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態においては、データ記憶装置１１６は、ドキュメント・データ、画像データ、電子データベースのデータ、アプリケーション、プログラム等を保存するように適切に適合されている。データ記憶装置１１６は、図においてはシステム１００の独立したコンポーネントとして例示されているが、例えば、内蔵ハードディスク・ドライブ等のような、ドキュメント管理システム・サーバ１１４の内部記憶コンポーネント等として実装することができる。本発明の一実施形態によれば、データ記憶装置１０６は、例えば、画像、テキスト、音声、ビデオ、マルチメディア、ユーザ・アカウント、ネットワーク装置データ等の複数の電子ドキュメントを表すデータを含む。ドキュメント管理システム・サーバ１１４とデータ記憶装置１１６は、複数の電子ドキュメントやアカウント等の作成、保存および管理を可能にするドキュメント管理システムとして機能する。
【００２１】
ユーザ装置１２０は、通信リンク１２２を介して、コンピュータ・ネットワーク１０２とのデータ通信を行う。図においてはユーザ装置１２０をデスクトップ形パーソナル・コンピュータとして示しているが、これは例示にすぎない。ユーザ装置１２０は、例えば、コンピュータ・ワークステーション、ノート形パーソナル・コンピュータ、携帯情報端末（ＰＤＡ）、ウェブ対応携帯電話、スマートフォン、専用通信ネットワーク用の装置またはその他のウェブ対応の電子装置を含む本技術分野において知られている任意のパーソナル・コンピューティング装置を表している。通信リンク１２２は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、本技術分野において知られている他の適切な有線または無線のデータ通信チャネルである。ユーザ装置１２０は、電子ドキュメント、ドキュメント処理命令、ユーザ・インターフェイス修正、アップグレード、更新、パーソナル化データ等を生成し、ドキュメント処理装置１０４あるいはコンピュータ・ネットワーク１０２に接続された他の類似の装置に送信したり、ドキュメント処理装置１０４、ドキュメント管理システム・サーバ１１４またはコンピュータ・ネットワーク１０２に接続された他の類似の装置から電子ドキュメント・データ等を受信するように適切に適応されることが好ましい。
【００２２】
次に、図２および図３を参照しながら、本発明による実施形態におけるシステムの動作が実行されるドキュメント処理装置のハードウェアおよび機能構成等を説明する。図２に本発明による実施形態においてシステム１００の動作が実行されるドキュメント処理装置２００（図１においては装置１０４として表されている。）のハードウェア・アーキテクチャの構成例を示す。ドキュメント処理装置２００には、少なくとも一つのＣＰＵから構成されるプロセッサ２０２が含まれている。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれている。
【００２３】
また、ドキュメント処理装置２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２によって処理されるアプリケーションおよびデータ処理に関係するデータ・インストラクションのための記憶領域を提供する。
【００２４】
ストレージ・インターフェイス２０８は、ドキュメント処理装置２００に関連するデータの不揮発性保存、大容量保存または長期的な保存ためのメカニズムを提供する。ストレージ・インターフェイス２０８は、２１６として図示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２５】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との一つまたは複数のコネクションを確立する。図においては、一例として、Ethernet（登録商標）、トークン・リング等といった固定または有線ネットワークとのデータ通信のための少なくとも一つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続されている。
【００２６】
プロセッサ２０２、読出し専用メモリ２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２７】
ドキュメント処理装置２００における実行可能なインストラクションは、ワークステーション、他のドキュメント処理装置、その他のサーバ等の複数の外部装置との通信を円滑に実行する。動作の際、代表的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００２８】
また、１つまたは複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８、およびファクシミリ・エンジン２４０との通信を容易にする。ドキュメント処理装置２００は、１つまたは複数のドキュメント処理機能を適切に実行する。複数のドキュメント処理動作を実行するシステムは、前述したように一般に、多機能周辺装置（ＭＦＰ）または多機能装置等と呼ばれる。
【００２９】
次に図３を参照しながらシステムの動作が実行されるドキュメント処理装置の機能ブロックを説明する。図３に、本発明による実施形態のシステム１００の動作が実行されるドキュメント処理装置３００の機能ブロックの構成例を示す。図３は、ソフトウェアおよびオペレーティング・システム機能と関連して、図２に示したハードウェアの機能性を例示している。
【００３０】
ドキュメント処理装置３００は、１つまたは複数のドキュメント処理動作を円滑に実行するドキュメント処理エンジン３０２を含んでいる。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達された電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００３１】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、目に見える有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、実際の目に見える有形のドキュメントの画像走査は、ファクシミリ動作においても有効に機能する。
【００３２】
図に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現している。
【００３３】
ドキュメント処理エンジン３０２は、１つまたは複数のデバイス・ドライバ３１４と適切な通信を行う。デバイス・ドライバ３１４は、実際のドキュメント処理動作を実行するために、ドキュメント処理エンジン３０２と、１つまたは複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１つまたは複数のものが含まれる。これらの多様な装置は、ドキュメント処理エンジン３０２と関連する１つまたは複数の対応したエンジンと結合されている。本発明においては、ドキュメント処理動作の任意のセットまたはサブセットが想定されている。複数の利用可能なドキュメント処理選択肢を含むドキュメント処理装置はＭＦＰと呼ばれている。
【００３４】
次に、図４および図５を参照しながら、本発明による実施形態におけるシステムの動作が実行されるコントローラのハードウェアおよび機能構成等を説明する。図４に本発明による実施形態においてシステム１００の動作が実行されるバックエンド・コンポーネント、すなわち、図１においてはコントローラ１０８として示したコントローラ４００のハードウェア・アーキテクチャの構成例を説明するための図を示す。尚、図においては、コントローラの構成要素の意義をより明確にするため、参照符号４３２で表した、コントローラ以外のドキュメント処理装置の構成要素の一部を併せて示している。コントローラ１０８は、本明細書に記載する動作を円滑に実行する能力を有する、本技術分野において知られている任意の汎用コンピューティング装置を表している。コントローラ４００には、少なくとも一つのＣＰＵを含むプロセッサ４０２が含まれている。プロセッサ４０２は、互いに協調して動作する複数のＣＰＵから構成されることもある。また、コントローラ４００には、ＢＩＯＳ機能、システム機能、システム構成データおよびコントローラ４００の動作に使用されるその他のルーチンもしくはデータ等の静的または固定的なデータ、あるいはインストラクションのために有効に使用される、不揮発性または読出し専用メモリ（ＲＯＭ）４０４が含まれている。
【００３５】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれている。ＲＡＭ４０６は、プロセッサ４０２によって処理されるアプリケーションおよびデータ処理に関係するデータ・インストラクションのための記憶領域を提供する。
【００３６】
ストレージ・インターフェイス４０８は、コントローラ４００に関連するデータの不揮発性保存、大容量保存または長期的な保存ためのメカニズムを提供する。ストレージ・インターフェイス４０８は、４１６として図示したディスク・ドライブ、あるいは光学式ドライブ、テープ・ドライブ等の適切な任意のアドレス指定可能、またはシリアル記憶装置等の大量記憶装置の他、当業者に知られている適切な任意の記憶媒体を使用する。
【００３７】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との一つまたは複数のコネクションのインターフェイスを適切にとる。図においては、例えば、Ethernet（登録商標）、トークン・リング等といった固定または有線ネットワークとのデータ通信のための少なくとも一つのネットワーク・インターフェイス・カード４１４、およびWiFi、WiMax、無線モデム、セルラ・ネットワークまたは適切な任意の無線通信システム等の手段を介した無線通信のために適切な無線インターフェイス４１８とを示している。ネットワーク・インターフェイス・サブシステム４１０は、任意の物理的データ転送レイヤあるいは物理的データ転送レイヤではないデータ転送レイヤまたはプロトコル・レイヤを適切に利用する。図においては、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続されている。
【００３８】
プロセッサ４０２、読出し専用メモリ４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３９】
また、ドキュメント・プロセッサ・インターフェイス４２２もバス４１２を介してデータ通信を行う。ドキュメント・プロセッサ・インターフェイス４２２は、様々なドキュメント処理動作を実行するドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図４に示したコントローラ４００（図１においてはコントローラ１０８として示されている。）を含む、ドキュメント処理装置１０４等の適切なドキュメント処理装置において実行される。
【００４０】
次に図５を参照しながらシステムの動作が実行されるコントローラの機能ブロックと動作の概要を説明する。図５に、本発明による実施形態のシステム１００の動作が実行されるコントローラの機能ブロックの構成例を説明するための図を示す。尚、図５においても、コントローラの機能要素の意義をより明確にするため、コントローラ以外のドキュメント処理装置の機能要素の一部を併せて示している。図５は、ソフトウェアおよびオペレーティング・システム機能と関連して、図４に示したハードウェアの機能性を例示している。
【００４１】
コントローラの機能は、ドキュメント処理エンジン５０２を含む。一実施形態において、ドキュメント処理エンジン５０２は、印刷動作、コピー動作、ファクシミリ通信動作および画像走査動作を可能にする。これらの機能が一つの装置で実行できる装置は、業界において一般に好まれているドキュメント処理周辺装置であるＭＦＰである。しかし、コントローラが上記のドキュメント処理動作のすべてを可能にする必要は必ずしもない。コントローラは、上記のドキュメント処理動作の一部を実行する専用のドキュメント処理装置、あるいはより限定した目的のドキュメント処理装置においても有効に用いられる。
【００４２】
ドキュメント処理エンジン５０２はユーザ・インターフェイス・パネル５１０と適切にインターフェイスされている。ユーザまたは管理者は、このユーザ・インターフェイス・パネル５１０を介して、ドキュメント処理エンジン５０２によって制御される機能にアクセスすることができる。アクセスは、コントローラにローカルに配置されているインターフェイスを介して行われるか、または遠隔のシン・クライアント（thin client）もしくはシック・クライアント（thick client）によって遠隔から行われる。
【００４３】
ドキュメント処理エンジン５０２は、印刷機能部５０４、ファクシミリ通信機能部５０６および画像走査機能部５０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を容易にする。
【００４４】
ジョブ・キュー（job queue）５１２は、印刷機能部５０４、ファクシミリ通信機能部５０６および画像走査機能部５０８とデータ通信を行う。ビットマップ、ページ記述言語（ＰＤＬ）またはベクター・フォーマット等の種々の画像形式は、画像走査機能部５０８からジョブ・キュー５１２を介して以降の処理のために中継される。
【００４５】
ジョブ・キュー５１２は、また、ネットワーク・サービス機能部５１４ともデータ通信を行う。一実施形態において、ジョブ制御信号、状態データまたは電子ドキュメント・データが、ジョブ・キュー５１２とネットワーク・サービス機能部５１４との間で交換される。このように、適切なインターフェイスが、クライアント側ネットワーク・サービス機能５２０を介したコントローラへのネットワーク・ベースのアクセスのために設けられている。このインターフェイスは、任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコル（uniform data diagram protocol）または他の任意の適切な交換メカニズムによって実行される。ネットワーク・サービス機能部５１４は、また、ＦＴＰ、電子メール、テルネット（TELNET）等による通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報のやりとりを容易にする。
【００４６】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４７】
最後に、ジョブ・キュー５１２は、ジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００４８】
次に図６を参照しながら、本発明による実施形態におけるシステムの動作が実行され、図１にドキュメント管理システム・サーバ１１４として示した、サーバのハードウェア構成を説明する。図６に本発明による実施形態においてシステム１００の動作が実行されるサーバ６００のハードウェア・アーキテクチャの構成例を示す。サーバ６００には、少なくとも一つのＣＰＵを含むプロセッサ６０２が含まれている。プロセッサ６０２は、互いに協調して動作する複数のＣＰＵから構成されることもある。また、サーバ６００には、ＢＩＯＳ機能、システム機能、システム設定またはサーバ６００の動作に使用する他のルーチンもしくはデータ等の静的または固定的なデータ、あるいは命令のために有効に使用される、不揮発性または読出し専用メモリ（ＲＯＭ）６０４が含まれている。
【００４９】
また、サーバ６００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ６０６が含まれている。ＲＡＭ６０６は、プロセッサ６０２により処理されるアプリケーションおよびデータ処理に関係するデータと命令のための記憶領域を提供する。
【００５０】
ストレージ・インターフェイス６０８は、サーバ６００に関連するデータの不揮発性保存、大容量保存または長期的な保存ためのメカニズムを提供する。ストレージ・インターフェイス６０８は、６１６として図示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００５１】
ネットワーク・インターフェイス・サブシステム６１０は、ネットワークとの間の入出力を適切にルーティングすることによって、サーバ６００が他の装置と通信することを可能にする。ネットワーク・インターフェイス・サブシステム６１０は、サーバ６００に対する外部装置との一つまたは複数のコネクションのインターフェイスを適切にとる。図においては、例えば、Ethernet（登録商標）、トークン・リング等の固定または有線ネットワークとのデータ通信のための少なくとも一つのネットワーク・インターフェイス・カード６１４、およびWiFi、WiMax、無線モデム、セルラ・ネットワークまたは適切な任意の無線通信システム等の手段を介した無線通信のために適切な無線インターフェイス６１８を示している。ネットワーク・インターフェイス・サブシステム６１０は、任意の物理的データ転送レイヤあるいは物理的データ転送レイヤではないデータ転送レイヤまたはプロトコル・レイヤを適切に利用する。図においては、ネットワーク・インターフェイス・カード６１４は、例えば、ローカル・エリア・ネットワーク、ワイド・エリア・ネットワークまたはこれらの組合せから適切に構成される物理的ネットワーク６２０を介したデータ交換を行うために、相互接続されている。
【００５２】
プロセッサ６０２、読出し専用メモリ６０４、ＲＡＭ６０６、ストレージ・インターフェイス６０８およびネットワーク・インターフェイス・サブシステム６１０の間のデータ通信は、バス６１２によって例示したバス・データ転送メカニズムを介して行われる。
【００５３】
サーバ６００における適切な実行可能な命令が、ワークステーション、ドキュメント処理装置あるいは他のサーバ等の複数の外部装置との通信を容易にする。動作において、一般的なサーバは自律的に動作するが、ユーザによる直接的な制御が望ましい場合もあり、このような直接的な制御は、オプションの入出力インターフェイス６２２を介して実行される。
【００５４】
以下、本発明における動作の概要を説明する。先ず、電子ドキュメント・データを画像走査装置から受け取る。次に、電子ドキュメントに実行される複数のドキュメント処理動作と関連するドキュメント処理命令データを受け取る。次に、ドキュメント処理命令データは、メタデータとして電子ドキュメントに付け加えられる。次に、メタデータが付加された電子ドキュメント・データが、処理のために少なくとも１つのドキュメント処理装置に送られる。少なくとも１つのドキュメント処理装置は、電子ドキュメント・データを受け取ると、付加されたメタデータにしたがって電子ドキュメント・データに複数のドキュメント処理動作を開始する。
【００５５】
ドキュメント処理動作としては、例えば、光学文字認識、ページ向き決め（page orientation）、ページ順入れ替え（page alignment）、ディジタル証明、保存、伝送、出力、情報抽出等がある。このようなドキュメント処理動作は、ユーザ装置１２０、またはドキュメント処理装置１０４と関連付けられたユーザ・インターフェイス１０６等を介して、選択することができる。
【００５６】
本発明の例示的な一実施形態においては、先ず、電子ドキュメント・データを画像走査装置から受け取る。画像走査装置は、ハードコピー・ドキュメントを表す電子画像データを生成することができる任意の電子装置である。例えば、ドキュメント処理装置１０４の画像走査コンポーネントは電子ドキュメント・データを生成することができ、生成された電子ドキュメント・データは、次に、コントローラ１０８あるいはドキュメント処理装置１０４と関連付けられた他の適切なコンポーネントによって受け取られる。画像走査操作を開始したユーザは、ユーザ・インターフェイス１０６を介して、受け取った電子画像データについて実行する１つまたは複数のドキュメント処理動作を選択するように促される。
【００５７】
次に、ユーザが選択したドキュメント処理動作の情報は、コントローラ１０８やドキュメント処理装置１０４の他の適切なコンポーネントによって、要求されたドキュメント処理動作を表わすメタデータに変換される。ここで得られたメタデータは、順次または並列等に実行することができる一連のドキュメント処理動作を表すワークフローを含む。次に、本技術分野で知られている任意の適切な手段によって、メタデータが、受け取った電子ドキュメント・データに付け加えられる。本発明の一実施形態による適切なドキュメント処理動作には、例えば、光学文字認識、ページ向き決め、ページ順入れ替え、ディジタル証明、保存、伝送、情報抽出等がある。情報抽出動作には、さらに、例えば、送り状番号、送信者情報、宛先情報、コンテンツ情報等の抽出がある。本発明の一実施形態によれば、ユーザは、複数のドキュメント処理動作を含むワークフローを表わす、単一動作を選択することができる。
【００５８】
次に、電子ドキュメント・データは、付加されたメタデータとともに、適切なドキュメント・プロセッサに送られる。ドキュメント・プロセッサという用語は、電子ドキュメント・データについてドキュメント処理動作を実行することができる、多数の電子装置、アプリケーション、ハードウェア、またはソフトウェア等を指す。例えば、図１に示したユーザ装置１２０は、本発明におけるドキュメント・プロセッサとして機能することができる。すなわち、ユーザ装置１２０は、光学文字認識動作、あるいはデータ抽出等に適応されたソフトウェアを含む。同様に、ドキュメント管理システム・サーバ１１４は、本発明におけるドキュメント・プロセッサとして機能することができる。ドキュメント管理システム・サーバ１１４は、例えば、受け取った電子ドキュメント・データにドキュメント管理動作を実行する。また、ドキュメント処理装置１０４は、ドキュメント処理装置１０４またはその適切なコンポーネントが、１つまたは複数の要求されたドキュメント処理動作を実行できるように、本発明におけるドキュメント・プロセッサとして機能することができる。したがって、電子ドキュメント・データは、コントローラ１０８によってドキュメント・プロセッサに伝達される場合、基本的に、ドキュメント処理装置１０４のコントローラ１０８コンポーネントから、光学文字認識コンポーネント、ファクシミリ・コンポーネントまたはネットワーク・インターフェイス・コンポーネント等に送られる。
【００５９】
次に、電子ドキュメント・データを受け取ったドキュメント・プロセッサは、その電子ドキュメントに付加されたメタデータを読み取って、要求されたドキュメント処理動作を特定する。次に、ドキュメント・プロセッサは、要求されたドキュメント処理動作を、同時に、すなわち並列に、実行できるのか、順次的に実行するのかを判断する。処理が並列的に実行可能であるときには、受け取った電子ドキュメント・データから読み取られたメタデータにしたがって、要求されたドキュメント処理動作が実行される。次に、ドキュメント・プロセッサは、処理エラーが起きたか否かを判断する。処理エラーが検出されない場合には、要求されたドキュメント処理動作が実行されたことを示す完了通知信号を表わすユーザ通知を生成する。次に、生成された完了通知信号は、ユーザに、例えばユーザ・インターフェイス１０６や電子メール・メッセージ等によって送られる。処理エラーが検出された場合には、エラー通知信号が生成され、例えば、ユーザ・インターフェイス１０６、ユーザ装置１２０への電子メール・メッセージによって、ユーザに送られる。
【００６０】
読み取られたメタデータによって指示されたドキュメント処理動作要求が、例えば、後続の処理動作に前の処理動作からのデータが必要である場合のように、並列に実行できないと判断された場合には、第１のドキュメント・プロセッサは、メタデータに記述された第１のドキュメント処理動作を実行する。次に、第１のドキュメント・プロセッサは、要求されたドキュメント処理動作の実行中にエラーが起きたか否かを判断する。ドキュメント・プロセッサがエラーを検出した場合には、エラー通知信号がドキュメント・プロセッサによって生成され、例えばユーザ・インターフェイス１０６等を介して、ユーザに送られる。エラーが検出されない場合、ドキュメント・プロセッサは、受け取ったメタデータに基づいて、実行すべきさらに他のドキュメント処理動作が残っているか否かを判断する。メタデータによって規定されたワークフローに、さらなる処理動作が残っていないと判断した場合には、ドキュメント・プロセッサは要求された処理動作が完了したことを示す通知を生成する。次に、完了通知信号が、例えば、ユーザ・インターフェイス１０６またはユーザ装置１２０のユーザへの電子メール・メッセージによって、ユーザに送られる。
【００６１】
メタデータによって示された実行すべきドキュメント処理動作が未だ他に残っている場合、ドキュメント・プロセッサは、次の処理動作を実行するために別のドキュメント・プロセッサが必要か否かを判断する。すなわち、所定の処理動作の実行を完了したばかりのドキュメント・プロセッサが、メタデータによって指示された次のドキュメント処理動作を、そのドキュメント・プロセッサが実行することができるか否かを判断する。そのドキュメント・プロセッサが次の処理動作を実行できると判断した場合には、次の処理動作がそのドキュメント・プロセッサによって実行され、処理は前述したように継続する。そのドキュメント・プロセッサが次のドキュメント処理動作を実行できないと判断した場合には、そのドキュメント・プロセッサからの出力、例えば、部分的に処理された電子ドキュメント・データおよびそれと対応するメタデータが、メタデータによって指定された次のドキュメント・プロセッサに伝達される。
【００６２】
次のドキュメント・プロセッサは、部分的に処理された電子ドキュメント・データとメタデータを受け取り、次のドキュメント処理動作を実行する。次のドキュメント・プロセッサは、次に、ドキュメント処理動作の実行中にエラーが起きたか否かを判断する。エラーが検出された場合、次のドキュメント・プロセッサは、エラーの発生を示すエラー通知を生成し、エラー通知信号をユーザに送る。次のドキュメント・プロセッサによってエラーが検出されないときは、メタデータが別のドキュメント処理動作の実行を指示しているか否かを判断する。別の処理動作が必要ではない場合には、ドキュメント処理動作の完了を示す完了通知信号がユーザに送られる。ドキュメント処理動作の完了の通知は、例えば、電子メール・メッセージやユーザ・インターフェイス１０６上の視覚的指示等によって行われる。別のドキュメント処理動作が、さらに必要であるとメタデータに記述されている場合には、次のドキュメント・プロセッサは、処理動作を実行するためにさらに別のプロセッサが必要か否かを判断する。以降、システム１００の処理動作は、メタデータで指定された、すべてのドキュメント処理動作要求が完了するまで、前述したように継続する。
【００６３】
以上の例示的な実施形態は、以下に述べる一連のドキュメント処理要求の例によって、理解が深まるであろう。例として、一連の処理要求には、画像走査した後に光学文字認識動作（scan to optical character recognition operation）、光学文字認識ファイル動作のインデックス化、ディジタル署名動作の追加、および指定されたリポジトリへの保存動作を含む場合について説明を行う。尚、本発明によれば、以下に述べる一連のドキュメント処理要求の例よりも、複雑または単純なワークフローが、同じかまたは異なるドキュメント処理動作を使用して可能である。ユーザが、画像走査した後に光学文字認識動作を選択すると、ドキュメント処理装置１０４の画像走査コンポーネントによって生成された電子画像データに、メタデータとしてワークフローが付け加えられる。メタデータとして具現化されるワークフローは、実行する所望のドキュメント処理動作を表わすドキュメント処理命令データと共に、ドキュメント処理動作の実行に関連する他のデータ、例えば、ファイル名の規則、宛先、受信者、ファイルのタイプ、抽出されるデータ等を含む。
【００６４】
この例では、ドキュメント処理装置１０４の画像走査コンポーネントは、コントローラ１０８を介して、ドキュメントに画像走査動作を実行する命令を受け取り、この命令にしたがって電子ドキュメント・データが生成される。光学文字認識コンポーネントは電子画像の適正な向きを認識することができるため、画像走査動作により作成された画像の調整と回転が、光学文字認識コンポーネントによって処理されることも可能である。次に、受け取られた電子ドキュメント・データには、ユーザ・インターフェイス１０６を介して受け取ったユーザ選択に対応し、コントローラ１０８によって生成されたメタデータが付け加えられる。次に、コントローラ１０８は、メタデータにしたがって光学文字認識が必要であることを判断し、電子ドキュメント・データがドキュメント処理装置１０４の光学文字認識コンポーネントに送られる。この例においては、ドキュメント処理装置１０４によって光学文字認識動作が実行される場合について説明するが、本発明によれば、電子ドキュメント・データを、コンピュータ・ネットワーク１０２を介して、ドキュメント管理システム・サーバ１１４またはユーザ装置１２０等に送って所望の光学文字認識動作を実行することが可能である。
【００６５】
メタデータによって示された光学文字認識データが生成されると、ドキュメント処理装置１０４のコントローラ１０８または他の適切なコンポーネントは、メタデータによって示されたワークフローの次の処理動作を実行する次のコンポーネントまたはプロセッサを特定する。この例においては、ワークフローの次の処理動作は画像走査ドキュメントからのデータの抽出である。したがって、光学文字認識の内容から、例えば、ドキュメント管理システムに加える情報が抽出される。抽出される情報としては、例えば、送り状番号、送信者名、アドレス、送り状金額等がある。ワークフローのさらに次の処理動作は、電子ドキュメント・データに付加されたメタデータに基づいて定められる、ドキュメントのディジタル署名である。このような処理動作により、ドキュメント管理システム・サーバ１１４が電子証明書サーバとしても機能することができる。すなわち、ドキュメント管理システム・サーバ１１４は、メタデータにしたがって電子ドキュメントにディジタル署名するドキュメント処理動作を実行する。その後、光学文字認識動作によって取得されたコンテンツ情報とディジタル署名された電子ドキュメント・データが、ドキュメント管理システム・サーバ１１４と関連付けられた記憶装置１１６にあるドキュメント管理データベースに保存される。以上の例において、各ドキュメント処理動作が分析され、ドキュメント処理装置１０４やドキュメント管理システム・サーバ１１４等による処理動作の実行中にエラーが起きたか否かが判断される。エラーが検出されたときは、その通知が、ユーザ・インターフェイス１０６やユーザ装置１２０への電子メール・メッセージ通知によって、ユーザに送られる。さらに、付加されたメタデータによって規定されたドキュメント処理動作が無事に完了したときには、完了通知メッセージがユーザに、ユーザ・インターフェイス１０６やユーザ装置１２０等への電子メール・メッセージによって送られる。
【００６６】
以上、図１ないし図６を参照しながら説明を行ったシステム１００およびコンポーネントの動作は、図７ないし図９を参照しながら後述する説明と併せてより良く理解されるであろう。以下の記載においては、以下に述べる機能の大部分をドキュメント処理装置１０４またはその適切なコンポーネントが実行する場合について説明を行うが、適切なハードウェア、ソフトウェアまたはこれらの組み合わせを備える任意のコンピューティング装置は、電子ドキュメントを処理することができ、またドキュメント処理装置１０４と類似のドキュメント処理装置と見なされる。
【００６７】
次に図７ないし図９を参照しながら、本発明による実施形態において、画像走査によって生成された電子ドキュメント・データのワークフロー制御動作を説明する。図７に、本発明による実施形態において、画像走査によって生成された電子ドキュメント・データのワークフロー制御の基本的な動作例を表すフローチャートを示す。先ず、Ｓ７０２で、電子ドキュメント・データを画像走査装置から受け取る。Ｓ７０４で、受け取った電子ドキュメント・データに実行される１または複数のドキュメント処理動作に対応するドキュメント処理命令データを受け取る。次にＳ７０６で、ドキュメント処理命令データに対応するメタデータを電子ドキュメント・データに付け加える。Ｓ７０８で、メタデータが付加されたドキュメント・データを、少なくとも１つのドキュメント処理装置に送り、Ｓ７１０で、付加されたメタデータにしたがって電子ドキュメント・データに１または複数のドキュメント処理動作を開始する。
【００６８】
次に図８および図９を参照しながら、本発明による実施形態における画像走査によって生成された電子ドキュメント・データのワークフロー制御の動作をさらに詳細に説明する。図８および図９に、本発明による実施形態において、画像走査によって生成された電子ドキュメント・データのワークフロー制御の動作例をさらに詳細に表したフローチャートを示す。先ず、Ｓ８０２で、電子ドキュメント・データを画像走査装置から受け取る。本発明の一実施形態においては、画像走査装置は、例えば、ＭＦＰのようなドキュメント処理装置１０４に関連付けられたコンポーネントである。Ｓ８０４で、例えば、ユーザ・インターフェイス１０６を介して、画像走査ドキュメント入力、すなわち画像走査装置から受け取った電子ドキュメント・データについて実行する１セットのドキュメント処理動作を選択するように、ユーザを促す。ユーザは、例えば、光学文字認識動作、ページ向き決め動作、ページ順入れ替え動作、電子証明動作、記憶動作、伝送動作、情報抽出動作等を選択できる。ここで、情報抽出動作によって、例えば、送り状番号、送信者情報、宛先情報、コンテンツ情報等の情報を、電子ドキュメント・データから抽出することができる。
【００６９】
コントローラ１０８あるいはドキュメント処理装置１０４と関連付けられた他の適切なコンポーネントは、次にＳ８０６で、ユーザ選択、すなわちユーザによって選択された１セットのドキュメント処理動作に対応するドキュメント処理命令データを、ユーザ・インターフェイス１０６を介して、受け取る。次に、コントローラ１０８は、Ｓ８０８でドキュメント処理命令データをメタデータに変換する。次にＳ８１０で、メタデータが、受け取った電子ドキュメント・データに付け加えられる。次にＳ８１２で、メタデータが付加された電子ドキュメント・データは、ドキュメント・プロセッサ、すなわち、ドキュメント処理装置１０４と関連付けられたコンポーネント、例えば、サーバ１１４のような要求されたドキュメント処理動作を実行可能な装置、またはユーザ装置１２０等に伝達される。説明を具体的にするために、本明細書ではドキュメント処理装置１０４が選択されたドキュメント処理動作の大部分を実行する場合を記載するが、要求されたドキュメント処理動作を実行するために、コンピュータ・ネットワーク１０２に接続されたその他の装置も同様に使用することができる。
【００７０】
次にＳ８１４で、受け取り手のドキュメント・プロセッサがメタデータを読み取り、要求されたドキュメント処理動作を特定する。Ｓ８１６で、受け取った電子ドキュメント・データに付加されたメタデータに基づいて、選択したドキュメント処理動作を並列、すなわち同時に実行することができるのか、順次（特定の順序で）実行するのかを判断する。順次の処理動作がメタデータによって指示されときには、処理はＳ８３２に進み、後に説明するように図９のフローチャートに示す処理動作が実行される。並列処理、すなわち同時処理が可能なときには、処理はＳ８１８に進み、電子ドキュメント・データと付加されたメタデータが、選択されたドキュメント処理動作の少なくとも１つを実行するように指定された各ドキュメント・プロセッサに送られる。同時処理が可能な場合、選択された処理動作のうちの１つを実行するために、ドキュメント処理装置１０４に関連付けられた各コンポーネントが、処理のためにメタデータとドキュメント・データを受け取る。
【００７１】
次にＳ８２０で、各ドキュメント・プロセッサは、選択されたドキュメント処理動作を実行する。ドキュメント処理装置１０４に関連付けられた各ドキュメント・プロセッサ、すなわちコンポーネントが、メタデータにしたがって要求されたドキュメント処理動作を実行する。次にＳ８２２で、処理エラーが起きたか否かが判断される。エラーが検出されないときには、処理はＳ８２４に進み、ユーザ通知が生成される。続いてＳ８２６で、各ドキュメント処理動作の実行の成功を表わす完了通知信号がユーザに伝達される。ユーザへの適切な伝達手段としては、例えば、ユーザ・インターフェイス１０６によって表示される通知、電子メール・メッセージ等がある。要求されたドキュメント処理動作の実行中にエラーがＳ８２２において検出された場合には、処理はＳ８２８に進み、エラー通知が生成される。続いてＳ８３０で、ユーザ・インターフェイス１０６または電子メール・メッセージ等を介して、エラー通知信号がユーザに伝達される。
【００７２】
以上述べたように、Ｓ８１６で、要求されたドキュメント処理動作の並列、すなわち同時処理が可能ではないと判断された場合には、処理は図８のＳ８３２から図９のＳ９０２に進む。次に図９に移ると、本発明による実施形態において、要求されたドキュメント処理動作の並列処理が可能ではないと判断された後の、画像走査によって生成された電子ドキュメント・データのワークフロー制御の動作例を表したフローチャートを示されている。処理動作はＳ９０２で始まり、続いてＳ９０４において、受け取り手のドキュメント・プロセッサは、割り当てられたドキュメント処理動作を、メタデータによって定められたように実行する。Ｓ９０６で、ドキュメント・プロセッサは、処理エラーが起きたか否かを判断する。処理エラーが検出されたときには、処理はＳ９０８に進み、ドキュメント・プロセッサによって検出されたエラーを表わすエラー通知が生成される。Ｓ９１０で、エラー通知、すなわちエラー通知信号が、例えば、ユーザ・インターフェイス１０６上の表示または電子メール・メッセージ等によって、ユーザに伝達される。
【００７３】
Ｓ９０６で、ドキュメント処理動作の実行中に処理エラーが起きていないと判断されたときには、処理はＳ９１２に進み、電子ドキュメント・データに付加されたメタデータに基づいて、ワークフローに未だ別のドキュメント処理動作が残っているか否かが判断される。Ｓ９１２における判断が否定的な場合は、処理はＳ９１４に進み、処理動作の完了を表すユーザ通知が生成される。続いてＳ９１６で、ユーザ・インターフェイス１０６または電子メール・メッセージ等によって、ユーザ通知を含む完了通知信号がユーザに伝達される。ワークフローに少なくとも１つの未だ別のドキュメント処理動作が残っており、Ｓ９１２における判断が肯定的な場合には、Ｓ９１８で、ワークフローの次のドキュメント処理動作を実行するために別のドキュメント・プロセッサが必要か否かの判断が行われる。処理を行った現在のドキュメント・プロセッサが、ワークフローの次の処理動作を実行することができるときは、処理は次の処理動作を実行するためにＳ９０４に戻る。
【００７４】
Ｓ９１８で、処理を行った現在のドキュメント・プロセッサが、次のドキュメント処理動作を連続的なワークフローで実行できないと判断されたときは、Ｓ９２０で、現在のドキュメント・プロセッサで処理されたドキュメント・データ、すなわち現在のドキュメント・プロセッサからの出力と、連続的なワークフローを表わすメタデータが次のドキュメント・プロセッサに送られる。次のドキュメント・プロセッサは、受け取ったメタデータにしたがって、Ｓ９２２で、次のドキュメント処理動作を実行する。その後、Ｓ９２４で、ドキュメント処理動作の実行中に処理エラーが起きたか否かが判断される。処理エラーが起きていないと判断されたときには、処理はＳ９１２に戻り、メタデータに基づいて、ワークフローに未だ別のドキュメント処理動作が残っているか否かが判断される。Ｓ９２４で、処理エラーが検出されたときには、処理はＳ９０８に進み、発生した処理エラーを表わすエラー通知が生成される。続いて、Ｓ９１０で、エラー通知信号がユーザに伝達される。ユーザに対するエラー通知信号の適切な伝達方法には、例えば、ユーザ・インターフェイス１０６上の視覚的指示、または電子メール・メッセージ等による方法がある。
【００７５】
以上の説明から明らかなように、本発明によれば、画像走査によって生成された電子ドキュメント・データのワークフロー制御システムおよび方法が提供される。また、本発明の一実施形態によれば、画像走査によって生成された電子ドキュメント・データに複数のドキュメント処理動作を実行するワークフロー制御システムおよび方法が提供される。さらに、本発明の一実施形態によれば、画像走査によって生成された電子ドキュメント・データに複数のドキュメント処理動作を指示するメタデータを付加するワークフロー制御システムおよび方法が提供される。
【００７６】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００７７】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、例えば、通信、汎用コンピューティング、データ処理、他のドキュメント処理等を含む、処理のワークフロー制御を使用する複数の様々な分野に対しても適用可能であり、本発明がドキュメントの画像走査処理への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００７８】
【図１】本発明による実施形態が適用される画像走査によって生成された電子ドキュメント・データのワークフロー制御システム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態のシステムの動作が実行されるサーバの構成例である。
【図７】本発明による実施形態において、画像走査によって生成された電子ドキュメント・データのワークフロー制御システムの基本的な動作例を表すフローチャートである。
【図８】本発明による実施形態において、画像走査によって生成された電子ドキュメント・データのワークフロー制御システムの詳細な動作例を表したフローチャートである。
【図９】本発明による実施形態において、画像走査によって生成された電子ドキュメント・データのワークフロー制御システムの詳細な動作例を表したフローチャートである。
【符号の説明】
【００７９】
１００  システム
１０２  コンピュータ・ネットワーク、分散形通信システム
１０４  ドキュメント処理装置、ＭＦＰ
１０６  ユーザ・インターフェイス
１０８  コントローラ
１１０、１１６  データ記憶装置
１１２、１１８、１２２  通信リンク
１１４  ドキュメント管理システム・サーバ
１２０  ユーザ装置
２００、３００  ドキュメント処理装置
２０２、４０２、６０２  プロセッサ
２０４、４０４、６０４  読出し専用メモリ、ＲＯＭ
２０６、４０６、６０６  ＲＡＭ
２０８、４０８、６０８  ストレージ・インターフェイス
２１０、４１０、６１０  ネットワーク・インターフェイス・サブシステム
２１２、４１２、６１２  バス
２１４、３１６、４１４、６１４  ネットワーク・インターフェイス・カード
２１６、４１６、６１６  ディスク・ドライブ
２１８、４１８、６１８  無線インターフェイス
２２０、４２０、６２０  物理的ネットワーク
２２２、６２２  オプションの入出力インターフェイス
２２４  ユーザ入出力パネル
２２６  印刷インターフェイス
２２８  コピー・インターフェイス
２３０  画像走査インターフェイス
２３２  ファクシミリ・インターフェイス
２３４、３０４  印刷エンジン
２３６  コピー・エンジン
２３８、３０８  画像走査エンジン
２４０、３０６  ファクシミリ・エンジン
３１０  コンソール・パネル
３１４  デバイス・ドライバ
３１８、３２０、３２２、３２４、３２６  ドライバ
４００  コントローラ
４２２  ドキュメント・プロセッサ・インターフェイス
４２４  コピー・ハードウェア
４２６  画像走査ハードウェア
４２８  印刷ハードウェア
４３０  ファクシミリ・ハードウェア
４３２  ドキュメント処理ハードウェア
５０２、３０２  ドキュメント処理エンジン
５０４  印刷機能部
５０６  ファクシミリ通信機能部
５０８  画像走査機能部
５１０  ユーザ・インターフェイス・パネル
５１２  ジョブ・キュー
５１４  ネットワーク・サービス機能部
５１６  画像プロセッサ
５１８  ジョブ解析部
５２０  クライアント側ネットワーク・サービス機能
５２２  クライアント装置サービス部
６００  サーバ、ドキュメント管理システム・サーバ
【図１】
2008259211.tif 000003
【図２】
2008259211.tif 000004
【図３】
2008259211.tif 000005
【図４】
2008259211.tif 000006
【図５】
2008259211.tif 000007
【図６】
2008259211.tif 000008
【図７】
2008259211.tif 000009
【図８】
2008259211.tif 000010
【図９】
2008259211.tif 000011